(57)【要約】【課題】設置時や使用時に初期照度補正制御点灯モードおよび外部制御調光点灯モードのいずれかを選択的に設定可能な蛍光ランプ点灯装置および照明制御システムを提供する。【解決手段】蛍光ランプ点灯装置ＦＯＣは、蛍光ランプＦＬを初期照度補正制御点灯モードにする初期照度補正制御回路ＩＣＣと、所定の外部調光信号を検知したときに、蛍光ランプＦＬを初期照度補正制御点灯モードから外部制御調光点灯モードにする切換手段ＳＭと、初期照度補正制御点灯モードと外部制御調光点灯モードとを切換える際には、切換後のモードの調光レベルになるように徐々に調光させ、また、切換後のモードが初期照度補正制御点灯モードであるときには、蛍光ランプ累積点灯時間に応じた調光レベルになるように制御された制御手段ＳＧを具備している。【選択図】図１
2006310258.tif 000002
【特許請求の範囲】
【請求項１】
蛍光ランプを高周波点灯する高周波点灯回路と；
高周波点灯回路を制御して蛍光ランプを調光点灯させる調光制御回路と；
調光制御回路を制御して蛍光ランプを初期照度補正制御点灯モードにする初期照度補正制御回路と；
所定の外部調光信号を検知したときに、調光制御回路を制御して蛍光ランプを初期照度補正制御点灯モードから外部制御調光点灯モードにする切換手段と；
蛍光ランプの点灯時間を累積して計時する累積点灯時間計測手段と；
初期照度補正制御点灯モードと外部制御調光点灯モードとを切換える際には、切換後のモードの調光レベルになるように徐々に調光させ、また、切換後のモードが初期照度補正制御点灯モードであるときには、蛍光ランプの累積点灯時間に応じた調光レベルになるように制御する制御手段と；
を具備していることを特徴とする蛍光ランプ点灯装置。
【請求項２】
蛍光ランプを高周波点灯する高周波点灯回路と；
高周波点灯回路を制御して蛍光ランプを調光点灯させる調光制御回路と；
調光制御回路を制御して蛍光ランプを初期照度補正制御点灯モードにする初期照度補正制御回路と；
所定の外部調光信号を検知したときに、調光制御回路を制御して蛍光ランプを初期照度補正制御点灯モードから外部制御調光点灯モードにする切換手段と；
蛍光ランプの点灯時間を累積して計時する累積点灯時間計測手段と；
モードが初期照度補正制御点灯モードであるときには、蛍光ランプの累積点灯時間に応じた調光レベルになるように制御し、外部制御調光点灯モードであるときには、上限値の調光レベル以下で外部調光信号に応じた調光レベルとなるように制御する制御手段と；
を具備していることを特徴とする蛍光ランプ点灯装置。
【請求項３】
外部制御調光点灯モードの上限値の調光レベルは、初期照度補正制御点灯モードの蛍光ランプの累積点灯時間に応じた調光レベルであることを特徴とする請求項２記載の蛍光ランプ点灯装置。
【請求項４】
請求項１ないし３いずれか一記載の蛍光ランプ点灯装置と；
前記蛍光ランプ点灯装置および前記蛍光ランプ点灯装置により高周波点灯される蛍光ランプを配設している照明器具と；
前記蛍光ランプ点灯装置に信号線を介して外部調光信号を送出する調光装置と；
を具備していることを特徴とする照明制御システム。
【発明の詳細な説明】
【技術分野】
【０００１】
本発明は、初期照度補正制御回路を備えた蛍光ランプ点灯装置および照明制御装置に関する。
【背景技術】
【０００２】
蛍光ランプは、点灯初期が最も明るくてその後点灯時間の経過とともに明るさが減退していく性質を有している。この性質は光束減退曲線として表すことができる。これに対して、被照明空間としては、一般に蛍光ランプによって照明を行う場合であっても、常に一定照度で照明が行われることが望ましい。そこで、蛍光ランプの点灯初期から点灯時間の経過に伴う光束低下分だけ調光比をなるべく小さな値に設定して暗く点灯させ、時間の経過に伴いその調光比を順次大きくしていくことにより、被照明空間を蛍光ランプの寿命に至るまで一定照度で照明制御する手法が採用されるようになった。このような照明制御は、初期照度補正制御と称されている。
【０００３】
初期照度補正制御は、最初に被照明空間全体を一括して制御するようにした照明制御方式において採用された（例えば、特許文献１参照。）。この照明制御方式では、複数の照明器具に対して共通の制御装置が照明器具とは別に設置され、専用のまたは電源線を兼ねた信号線により各照明器具との間が接続され、制御装置に組み込まれたタイマとテーブルデータにより、予め設定された点灯経過時間ごとの調光レベルになるように被照明空間内の蛍光ランプが一斉に初期照度補正制御される。
【０００４】
また、蛍光ランプ点灯装置には、外部制御による調光点灯が可能なように構成したものもある。このものは、調光制御回路を備えていて、調光制御回路に対して外部調光信号を供給することにより、調光制御回路が外部調光信号に応じて高周波点灯回路を制御して蛍光ランプに供給する高周波出力を調節して調光が行われる。
【特許文献１】特開昭６４−０８９２８７号公報（第３頁、第１図）
【発明の開示】
【発明が解決しようとする課題】
【０００５】
蛍光ランプ点灯装置を用いて被照明空間を照明する場合、初期照度制御を行いながら一定照度に対する照明ニーズと、任意所望に応じて任意の照度レベルに対する照明ニーズとがある。従来は、それぞれの照明ニーズに個別に対応するように構成された蛍光ランプ点灯装置が用いられている。そのため、照明ニーズが変化した場合には、蛍光ランプ点灯装置または蛍光ランプ点灯装置を内蔵した照明器具を交換する必要があり、経済的および時間的に大掛かりなものとならざるを得ない。
【０００６】
本発明は、設置時や使用時に初期照度補正制御点灯モードおよび外部制御調光点灯モードのいずれかを選択的に設定可能な蛍光ランプ点灯装置を提供することを目的とする。
【課題を解決するための手段】
【０００７】
請求項１に記載の蛍光ランプ点灯装置の発明は、蛍光ランプを高周波点灯する高周波点灯回路と；高周波点灯回路を制御して蛍光ランプを調光点灯させる調光制御回路と；調光制御回路を制御して蛍光ランプを初期照度補正制御点灯モードにする初期照度補正制御回路と；所定の外部調光信号を検知したときに、調光制御回路を制御して蛍光ランプを初期照度補正制御点灯モードから外部制御調光点灯モードにする切換手段と；蛍光ランプの点灯時間を累積して計時する累積点灯時間計測手段と；初期照度補正制御点灯モードと外部制御調光点灯モードとを切換える際には、切換後のモードの調光レベルになるように徐々に調光させ、また、切換後のモードが初期照度補正制御点灯モードであるときには、蛍光ランプの累積点灯時間に応じた調光レベルになるように制御する制御手段と；を具備していることを特徴とする。
【０００８】
本発明および以下の各発明において、特に言及しない限り、各構成は以下による。
【０００９】
上記調光制御回路は、高周波点灯回路を制御することにより高周波点灯回路の高周波出力を変化させて蛍光ランプを調光点灯させるための回路手段である。例えば、周波数制御式、ＰＷＭ制御式などを選択的に採用することができる。前者の方式においては、高周波点灯回路の高周波電圧の周波数を変化させて限流手段のインピーダンスを制御して調光を行わせる。後者の方式においては、高周波電圧が出力される期間（オンデューティ）を変化させて実効電圧を制御して調光を行わせる。
【００１０】
また、調光制御回路は、蛍光ランプが初期照度補正制御点灯モードおよび外部制御調光点灯モードのいずれのときにも作用して、蛍光ランプに対してその点灯時に投入されるランプ電力を所要に制御する。
【００１１】
蛍光ランプが初期照度補正制御点灯モードとなって点灯するときには、後述する初期照度補正制御回路により調光制御回路が制御される。これに対して、蛍光ランプが外部制御調光点灯モードとなって点灯するときには、外部制御調光点灯制御回路により外部調光信号で調光制御回路が制御される。
【００１２】
外部調光信号は、有線または無線による調光信号および蛍光ランプ点灯装置に付設した調光操作部の使用者による操作により発生する調光信号のいずれであってもよい。
【００１３】
有線による調光信号の場合、外部調光線の一端を蛍光ランプ点灯装置の調光端子に接続し、他端に調光器などの外部調光信号発生回路を接続し、この外部調光信号発生回路を使用者が操作して、または自動的に外部調光信号が形成され、外部調光線を経由して蛍光ンプ点灯装置に向けて送出される。蛍光ランプ点灯装置においては、外部調光線を経由して外部調光信号が到来したときに、調光制御回路がこれに応動し、高周波点灯回路の出力が制御され、蛍光ランプが調光点灯する。
【００１４】
一方、無線による調光信号の場合、電波、赤外線または超音波などからなる搬送波を外部調光信号により変調して外部調光無線信号を形成する。蛍光ランプ点灯装置には、外部調光無線信号の受信器を配設して外部調光無線信号を受信し、これを復調して外部調光信号を取り出して調光制御回路を制御し、さらに高周波点灯回路の出力が従属的に制御されて、蛍光ランプが調光点灯する。
【００１５】
蛍光ランプ点灯装置に付設した外部調光信号発生回路の場合には、使用者による外部調光信号発生回路の操作により外部調光信号が発生し、この外部調光信号が直接調光制御回路に制御入力して調光制御回路を制御し、さらに高周波点灯回路の出力が従属的に制御されて、蛍光ランプが調光点灯する。
【００１６】
蛍光ランプは、前述のように初期光束が最大値となるが、反対に寿命末期時には最低値となり、その間点灯時間の経過に伴って光束が徐々に減退していく。初期照度補正制御回路は、蛍光ランプの点灯初期から初期光束より少ない光束、例えば初期光束の７０％でほぼ一定になるように蛍光ランプを点灯時間の経過に応じて自動的に順次調光比を大きくしていきながら蛍光ランプを調光点灯させることにより、蛍光ランプの初期照度を抑制するとともに、点灯時間の経過にかかわらず蛍光ランプによる照度を寿命末期までほぼ一定に維持する制御回路手段である。
【００１７】
例えば、初期照度補正制御回路を累積点灯時間計測手段、メモリおよびプログラムを主体として構成することができる。累積点灯時間計測手段は、蛍光ランプの点灯時間を累積して計時するタイマである。なお、タイマは、ＩＣなどの個別のものを用いるだけでなく、蛍光ランプ点灯装置全体を制御するマイコンのタイマ機能、メモリ機能および演算機能を利用して初期照度補正制御回路を構成することができる。
【００１８】
点灯時間は、蛍光ランプが点灯している時間であるが、実際の計測では、蛍光ランプが点灯していない予熱時間等も含まれていてもよい。ランプ寿命時間、例えば１２０００時間に対して数ミリ秒と微小であるためである。要するに、累積点灯時間計測手段は、おおよその時間が分かるものであればよい。
【００１９】
メモリは、予め設定した点灯時間ごとの調光レベルを記憶しており、随時読み出しができる。プログラムは、点灯時間に応じてメモリから所定の調光レベルを読み出して調光制御回路に制御入力させる。また、蛍光ランプを新品に交換した際には、初期照度補正制御回路をリセットして、初期照度補正制御を再度最初から行えるように構成される。リセット手段は、例えば操作スイッチなどにより構成すればよい。
【００２０】
制御手段は、初期照度補正制御点灯モードと外部制御調光点灯モードとを切換える際には、切換後のモードの調光レベルになるように徐々に調光させ、また、切換後のモードが初期照度補正制御点灯モードであるときには、蛍光ランプ累積点灯時間に応じた調光レベルになるように制御する。蛍光ランプが外部制御調光点灯モードで点灯するときにも点灯時間の計時を継続して行うように構成することにより、再度初期照度補正制御点灯モードに復帰した際に、初期照度補正制御が連続しているように反映させることができる。
【００２１】
外部調光信号を利用して点灯モードを切り換える場合、以下のいずれか一つまたは所望の複数を適宜組み合わせて構成することができる。
【００２２】
１．外部調光信号が蛍光ランプ点灯装置に配設された調光端子に到来しないときには、初期照度補正制御回路が調光制御回路を制御するように構成される。そして、外部調光信号が調光端子に到来したときには、点灯モードを外部制御調光点灯モードに切り換える。これに伴って、外部調光信号によって調光制御回路を制御して蛍光ランプを調光点灯させるとともに、初期照度補正制御回路が調光制御回路を制御しないように構成する。
【００２３】
２．外部制御調光点灯モードへの切り換えは、高周波点灯回路の出力端に蛍光ランプが装着されている状態（負荷状態）および装着されていない状態（無負荷状態）のいずれであっても、可能なように構成する。
【００２４】
３．制御用のマイコンを配設して、初期照度補正制御点灯モードおよび外部制御調光点灯モードを、それぞれフラグを立ててマイコンに記憶させておくことにより、マイコンによる初期照度補正制御点灯モードおよび外部制御調光点灯モードの切り換え、ならびに点灯制御が容易に処理できるように構成する。
【００２５】
４．調光比が小さくても外部調光信号を確実に識別可能にするために、外部調光信号の０を含まない電気信号の最小レベル以上であれば、外部調光信号として認識するように制御用のマイコンを設定しておく。
【００２６】
外部調光信号が一般的に採用されるようにオンデューティ制御信号からなる場合においては、オンデューティが０％になると、外部調光信号はその電気信号が０レベルになる。この場合の外部調光信号は、外部調光信号が存在しない場合との区別がつきにくい状態である。このような状態のときには、外部調光信号の識別が困難であるから、本態様においては、上記のように電気信号が０レベルを含まない最小レベル以上を外部調光信号として識別するように予めマイコンを設定しておくものである。
【００２７】
本発明によれば、外部信号により初期照度補正制御点灯モードおよび外部制御調光点灯モードの切り換えを行うので、設備導入時および導入後のいずれの時期であったとしても上記切り換えが可能なように構成することができる。
【００２８】
また、外部信号として外部調光信号を利用する場合、調光器を例えば壁面に配設して調光器と蛍光ランプ点灯装置の調光端子との間を外部調光線で接続しておき、当該調光器を操作すれば、外部調光信号が外部調光線を経由して外部調光信号が調光制御回路に供給されるのを制御用のマイコンが検出して、初期照度補正制御回路を機能しないように制御するので、制御用のマイコンが切換手段として作用して、初期照度補正制御点灯モードから外部制御調光点灯モードへの切り換えが行われる。したがって、蛍光ランプ点灯装置の設置後において、蛍光ランプ点灯装置が外部調光信号を検知しないときには、自動的に初期照度補正制御回路が作動して蛍光ランプ点灯装置単体での初期照度補正制御が行われる。
【００２９】
請求項２に記載の蛍光ランプ点灯装置の発明は、蛍光ランプを高周波点灯する高周波点灯回路と；高周波点灯回路を制御して蛍光ランプを調光点灯させる調光制御回路と；調光制御回路を制御して蛍光ランプを初期照度補正制御点灯モードにする初期照度補正制御回路と；所定の外部調光信号を検知したときに、調光制御回路を制御して蛍光ランプを初期照度補正制御点灯モードから外部制御調光点灯モードにする切換手段と；蛍光ランプの点灯時間を累積して計時する累積点灯時間計測手段と；モードが初期照度補正制御点灯モードであるときには、蛍光ランプの累積点灯時間に応じた調光レベルになるように制御し、外部制御調光点灯モードであるときには、上限値の調光レベル以下で外部調光信号に応じた調光レベルとなるように制御する制御手段と；を具備していることを特徴とする。
【００３０】
上限値は、予め設定して制御手段のメモリに記憶させている。また、外部設定手段を設けて外部から任意に上限値を設定し、前記メモリに記憶させるようにしてもよい。
【００３１】
蛍光ランプの点灯制御が外部制御調光点灯モードであるときには、蛍光ランプを上限値の調光レベルを超えて点灯させる外部調光信号が入力（検知）されても、制御手段は、蛍光ランプを上限値の調光レベルで点灯させる。調光レベルの下限値は、蛍光ランプを調光点灯させる高周波点灯回路により決定される。
【００３２】
本発明によれば、外部制御調光点灯モードで蛍光ランプを点灯するとき、外部調光信号により上限値を越える調光レベルで蛍光ランプを点灯させようとしても、制御手段の制御により、蛍光ランプは、上限値の調光レベルで点灯される。すなわち、蛍光ランプは、外部調光信号に応じて上限値の調光レベルおよび下限値の調光レベルの間で点灯される。
【００３３】
請求項３に記載の蛍光ランプ点灯装置の発明は、請求項２記載の蛍光ランプ点灯装置において、外部制御調光点灯モードの上限値の調光レベルは、初期照度補正制御点灯モードの蛍光ランプの累積点灯時間に応じた調光レベルであることを特徴とする。
【００３４】
本発明によれば、外部制御調光点灯モードで蛍光ランプを点灯するとき、外部調光信号により蛍光ランプを調光点灯させることのできる調光レベルの上限値が蛍光ランプの累積点灯時間に応じて上昇していく。したがって、点灯時間の経過とともに減少していく蛍光ランプの光束の低下分を外部調光信号により蛍光ランプの調光レベルを上昇させることで補正可能となる。
【００３５】
また、上限値の調光レベルは、初期照度補正制御点灯モードの蛍光ランプの累積点灯時間に応じた調光レベルであり、蛍光ランプは、上限値の調光レベル以下で点灯されるので、蛍光ランプ点灯装置の省電力化が図られる。
【００３６】
請求項４に記載の照明制御システムの発明は、請求項１ないし３いずれか一記載の蛍光ランプ点灯装置と；前記蛍光ランプ点灯装置および前記蛍光ランプ点灯装置により高周波点灯される蛍光ランプを配設している照明器具と；前記蛍光ランプ点灯装置に信号線を介して外部調光信号を送出する調光装置と；を具備していることを特徴とする。
【００３７】
本発明によれば、請求項１ないし３いずれか一記載の蛍光ランプ点灯装置を具備するので、初期照度補正制御点灯モードおよび外部制御調光点灯モードのいずれかで蛍光ランプを点灯させる照明制御システムが提供される。そして、外部制御調光点灯モードにおいては、調光装置から送出される外部調光信号に応じて蛍光ランプの調光レベルが変化される。
【発明の効果】
【００３８】
請求項１の発明によれば、蛍光ランプを初期照度補正制御点灯モードおよび外部制御調光点灯モードのいずれかを選択して設定でき、また、外部制御調光点灯モードへ切換わった後、再度、初期照度補正制御点灯モードに切換わったときには、蛍光ランプの累積点灯時間に応じた調光レベルで点灯するように制御するので、初期照度補正制御点灯モードでの点灯時にはいつでも累積点灯時間に応じた調光制御ができ、省エネ効果が図られる。さらに、初期照度補正制御点灯モードと外部制御調光点灯モードとを切換える際には、調光レベルを徐々に変化させるようにする制御するので、モード切換え時に急激な照度変化が少なく違和感を生じない。
【００３９】
請求項２の発明によれば、外部制御調光点灯モードで蛍光ランプを点灯するとき、蛍光ランプは、上限値の調光レベル以下で点灯されるので、照明が必要以上の明るさになることを防止することができ、蛍光ランプ点灯装置の省電力化を図ることができる。
【００４０】
請求項３の発明によれば、外部制御調光点灯モードで蛍光ランプを点灯するとき、上限値の調光レベルが初期照度補正制御点灯モードの蛍光ランプの累積点灯時間に応じた調光レベルとなるので、点灯時間の経過に伴って低下していく光束の低下分を外部調光信号により蛍光ランプの調光レベルを上昇させることで補正することができ、蛍光ランプ点灯装置の省電力化を図りながら、必要な照明の明るさを得ることができる。
【００４１】
請求項４の発明によれば、請求項１ないし３いずれか一記載の蛍光ランプ点灯装置を具備するので、蛍光ランプを初期照度補正制御点灯モードおよび外部制御調光点灯モードのいずれかで点灯させる照明制御システムを提供することができるとともに、外部制御調光点灯モードにおいては、調光装置での調光操作により照明の明るさを調節することができる。
【発明を実施するための最良の形態】
【００４２】
以下、図面を参照して本発明の一実施の形態を説明する。まず、本発明の第１の実施形態について説明する。
【００４３】
図１は、本発明の第１の実施形態を示す蛍光ランプ点灯装置の回路ブロック図である。本実施の形態において、蛍光ランプ点灯装置ＦＯＣは、高周波点灯回路ＨＦＯ、調光制御回路ＤＣＣ、初期照度補正制御回路ＩＣＣ、切換手段ＳＭおよび直流電源ＤＣを具備している。なお、図中、符号ＦＬは蛍光ランプ、ＯＤＳは外部調光信号発生回路、ＡＣは低周波交流電源である。
【００４４】
高周波点灯回路ＨＦＯは、インバータ本体ＩＮＶおよびインバータ制御回路ＩＮＣからなる。インバータ本体ＩＮＶは、ハーフブリッジ形インバータ主回路などからなる。インバータ制御回路ＩＮＣは、インバータ本体ＩＮＶを所要に制御する回路で、例えば周波数制御された駆動信号をインバータ本体ＩＮＶに供給することにより、インバータ本体ＩＮＶを駆動する。
【００４５】
調光制御回路ＤＣＣは、調光制御信号を生成して高周波点灯回路ＨＦＯのインバータ制御回路ＩＮＣに制御入力して、高周波点灯回路ＨＦＯの高周波出力を調光制御信号に応じて変化させる回路で、調光受信部ＤＲおよび調光制御信号変換回路ＤＳＣからなる。調光受信部ＤＲは、後述する初期照度補正制御回路ＩＣＣまたは外部調光信号発生回路ＯＤＳから送出される調光信号を受信して調光制御信号変換回路ＤＳＣに送出する。調光制御信号変換回路ＤＳＣは、その送出された調光信号を調光制御信号に変換する。なお、調光信号は例えばＰＷＭ制御信号からなり、これを例えば直流レベル信号からなる調光制御信号に変換する。
【００４６】
初期照度補正制御回路ＩＣＣは、点灯時間に応じた初期照度補正信号を内容とする調光信号を発生して、これを後述する切換手段ＳＭを経由して調光制御回路ＤＣＣに送出する。また、初期照度補正制御回路ＩＣＣは、マイコンの累積点灯時間計測手段としてのタイマ機能、メモリ機能、演算機能およびプログラムを主体として構成されていて、蛍光ランプの光束減退曲線に沿った初期照度補正信号からなる調光信号を発生する。
【００４７】
累積点灯時間計測手段は、蛍光ランプＦＬの点灯時間を累積して計時する。
【００４８】
また、制御手段ＳＧは、初期照度補正制御点灯モードと外部制御調光点灯モードとを切換える際には、切換後のモードの調光レベルになるように徐々に調光させ、また、切換後のモードが初期照度補正制御点灯モードであるときには、蛍光ランプ累積点灯時間に応じた調光レベルになるように制御する。
【００４９】
本実施の形態において、制御手段ＳＧは、所定の外部調光信号を検知したときに、調光制御回路ＤＣＣを制御して蛍光ランプＦＬを初期照度補正制御点灯モードから外部制御調光点灯モードにする切換手段ＳＭを含み、外部調光信号発生回路ＯＤＳに接続する伝送線路を経由して伝送される外部調光信号を監視して、蛍光ランプ点灯装置ＦＯＣの設置時において、外部調光信号が到来したときにこれを検出して、初期照度補正制御回路ＩＣＣを不動作に切り換える。切換手段ＳＭは、外部調光信号で調光制御回路が制御されるための外部制御調光点灯制御回路を包含している。
【００５０】
蛍光ランプＦＬは、高周波点灯回路ＨＦＯの出力端間に接続されて高周波点灯する。
【００５１】
外部調光信号発生回路ＯＤＳは、例えば被照明空間を照明するように多数の照明器具内に配設された多数の蛍光ランプ点灯装置ＦＯＣを一括して初期照度補正制御を行ったり、被照明空間を、その複数の領域ごとに所要の程度に調光をしたりするなど被照明空間を全体として統合しながら調光を行う調光システムである。
【００５２】
直流電源ＤＣは、低周波交流電源ＡＣの電圧を整流、平滑して直流電圧を出力する。そして、高周波点灯回路ＨＦＯ、調光制御回路ＤＣＣ、初期照度補正制御回路ＩＣＣおよび切換手段ＳＭに対して所要電圧の直流電源を供給する。
【００５３】
そうして、蛍光ランプ点灯装置ＦＯＣに組み込まれた初期照度補正制御回路ＩＣＣまたは外部調光信号発生回路ＯＤＳにより、蛍光ランプＦＬを初期照度補正制御しながら高周波点灯させることができる。
【００５４】
また、初期照度補正制御点灯モードおよび外部制御調光点灯モードの状態は、予めマイコン内部にフラッグを立てて記憶される。そうして、点灯モードを切り換える際には、イニシャライズの後にまず状態フラグをチェックして、現状の点灯モードが何かを認識する。
【００５５】
図２は、本発明の蛍光ランプ点灯装置ＦＯＣを実施するための蛍光ランプ寿命中の初期照度補正制御点灯モードおよび外部制御調光点灯モードの際の初期照度補正制御回路ＩＣＣの作用を説明するグラフである。図２において、横軸は累積点灯時間（１０００時間）を、縦軸は調光比（調光レベル）（％）をそれぞれ示す。本実施の形態は、外部制御調光点灯モードの際においても初期照度補正制御回路の計時作用を継続させるように構成されている。
【００５６】
以下、蛍光ランプＦＬを累積点灯時間０〜６０００時間の間が初期照度補正制御点灯モード、６０００〜９０００時間が外部制御調光点灯モード、９０００時間以降が再度初期照度補正制御点灯モードで点灯する場合を例として本実施の形態について説明する。
【００５７】
図１において、蛍光ランプＦＬが初期照度補正制御点灯モードで点灯する場合、初期照度補正制御回路ＩＣＣが調光制御回路ＤＣＣを制御する。したがって、蛍光ランプＦＬは、累積点灯時間０では調光比７０％で点灯し、その後累積点灯時間の増大に伴って徐々に調光比が増加されながら点灯する。そのため、累積点灯時間６０００時間までの間、蛍光ランプＦＬによる照度は一定に維持される。
【００５８】
累積点灯時間６０００時間になったときに、蛍光ランプＦＬの点灯モードが外部制御調光点灯モードに切り換えられたとする。これにより、調光制御回路ＤＣＣは、外部調光信号発生回路ＯＤＳから送出される外部調光信号により制御されるようになる。
【００５９】
外部制御調光点灯モードになると、最大レベル（上限値）の調光比が１００％まで蛍光ランプＦＬを点灯させることが可能になる。換言すれば、外部制御調光点灯モード中は、初期照度補正制御が行われなくなる。しかし、外部制御調光点灯モードの期間中も初期照度補正制御回路ＩＣＣは、累積点灯時間の計時を継続している。また、蛍光ランプ点灯装置ＦＯＣが蛍光ランプＦＬを調光点灯させることのできる調光レベルの下限値例えば２５％が最小レベルの調光比として設定されている。外部調光信号に応じて、蛍光ランプＦＬは、調光比２５％から１００％の間で点灯される。
【００６０】
そして、蛍光ランプＦＬの累積点灯時間が９０００時間のときに再度初期照度補正制御点灯モードに復帰したとする。この場合、初期照度補正制御回路ＩＣＣは、累積点灯時間９０００時間としての調光比（９２．５％）になるように調光制御回路ＤＣＣを制御する。
【００６１】
その結果、累積点灯時間が０〜９０００時間の間継続して初期照度補正制御点灯モードで点灯してきたように初期照度補正制御が行われる。このため、蛍光ランプＦＬは、初期照度補正制御点灯モードで点灯中、常に、照度（明るさ）を一定にさせる。
【００６２】
また、図３は、本発明の蛍光ランプ点灯装置ＦＯＣを実施するための蛍光ランプ寿命中の初期照度補正制御点灯モードおよび外部制御調光点灯モードの際の制御手段ＳＧの動作を説明するグラフである。外部制御調光点灯モードにおいて、蛍光ランプＦＬの上限値の調光比が９０％に設定されており、これを超える外部調光信号が入力されても、制御手段ＳＧは、蛍光ランプＦＬを調光比９０％で点灯制御する。蛍光ランプＦＬは、累積点灯時間に係らず、外部調光信号に応じて上限値の調光比９０％および下限値の調光比２５％で点灯される。蛍光ランプＦＬを上限値の調光比９０％以下で点灯することにより、照明が必要以上の明るさ（照度）になることを防止でき、蛍光ランプ点灯装置ＦＯＣの消費電力を低減して省電力化を図ることができる。
【００６３】
そして、外部制御調光点灯モードから初期照度補正制御点灯モードに自由に切り換えることができ、切換後の初期照度補正制御点灯モードで初期照度を得ることができる。
【００６４】
次に、本発明の第２の実施形態について説明する。
【００６５】
図４は、本発明の第２の実施形態を示す蛍光ランプ点灯装置ＦＯＣの外部制御調光点灯モードにおける制御手段ＳＧの動作を説明するグラフである。外部制御調光点灯モードにおいて、蛍光ランプＦＬの上限値の調光比（調光レベル）は、初期照度補正制御点灯モードの蛍光ランプＦＬの累積点灯時間に応じた調光比（調光レベル）に制御される。すなわち、上限値の調光比は、累積点灯時間０〜１２０００時間に対して７０％〜１００％に増加していく。また、下限値の調光比も累積点灯時間０〜１２０００時間に対して２５％〜３５％に増加させる。例えば、累積点灯時間６０００時間では、上限値の調光比が８５％、下限値の調光比が３０％となる。このように、蛍光ランプＦＬの調光比の上限値および下限値は、蛍光ランプＦＬの累積点灯時間に応じて変化していく。
【００６６】
蛍光ランプＦＬは、一定の調光比で点灯していると累積点灯時間に応じて光束が次第に減少していく。累積点灯時間に応じて調光比の上限値が上昇していくので、当該光束の低下分は、外部調光信号により調光比を増加させることで補正可能である。そして、蛍光ランプＦＬは、増加した上限値の調光比以下で調光点灯される。したがって、蛍光ランプ点灯装置ＦＯＣの省電力化を図りながら、必要な照明の明るさを得ることができる。
【００６７】
次に、本発明の第３の実施形態について説明する。
【００６８】
図５は、本発明の第３の実施形態を示す照明制御システムの概略構成図である。なお、図１と同一部分には、同一符号を付して説明は省略する。
【００６９】
図５に示す照明制御システム１は、蛍光ランプ点灯装置ＦＯＣ、照明器具２および調光装置３を有して構成されている。
【００７０】
照明器具２は、天井などの造営物に設置される直付け照明器具であり、器具本体４が造営物に取り付けられている。器具本体４は、反射面５ａを有するカバー５が配設され、その両端に一対のランプソケット６，６が設けられている。また、器具本体４は、カバー５内に蛍光ランプ点灯装置ＦＯＣを配設している。蛍光ランプＦＬは、ランプソケット６，６に装着されている。
【００７１】
蛍光ランプ点灯装置ＦＯＣは、切換手段ＳＭが信号線としての外部調光線７により調光装置（調光器）３に接続されている。調光装置３は、内部に外部調光信号発生回路ＯＤＳが設けられている。
【００７２】
調光装置３の外部操作子８を移動させると、外部調光信号発生回路ＯＤＳから外部調光信号が出力されて蛍光ランプ点灯装置ＦＯＣに入力される。蛍光ランプ点灯装置ＦＯＣは、蛍光ランプＦＬを外部制御調光点灯モードで点灯させる。蛍光ランプＦＬは、上限値および下限値の調光比の範囲内で外部調光信号に応じた調光比で点灯される。
【００７３】
そして、調光装置３の外部操作子８を最上部に移動させると、外部調光信号発生回路ＯＤＳから外部調光信号が出力されなくなる。蛍光ランプ点灯装置ＦＯＣは、蛍光ランプＦＬを初期照度補正制御点灯モードで点灯させ、照度を一定にさせる。このように、調光装置３の外部操作子８の移動により、外部制御調光点灯モードと初期照度補正制御点灯モードとの切換が行われる。
【図面の簡単な説明】
【００７４】
【図１】本発明の第１の実施形態を示す蛍光ランプ点灯装置の回路ブロック図。
【図２】同じく、蛍光ランプ寿命中の初期照度補正制御点灯モードおよび外部制御調光点灯モードの際の初期照度補正制御回路の作用を説明するグラフ。
【図３】同じく、蛍光ランプ寿命中の初期照度補正制御点灯モードおよび外部制御調光点灯モードの際の制御手段の動作を説明するグラフ。
【図４】本発明の第２の実施形態を示す蛍光ランプ点灯装置の外部制御調光点灯モードにおける制御手段の動作を説明するグラフ。
【図５】本発明の第３の実施形態を示す照明制御システムの概略構成図。
【符号の説明】
【００７５】
１…照明制御システム
２…照明器具
３…調光装置
ＤＣＣ…調光制御回路
ＦＯＣ…蛍光ランプ点灯装置
ＨＦＯ…高周波点灯回路
ＩＣＣ…初期照度補正制御回路および累積点灯時間計測手段
ＳＧ…制御手段
ＳＭ…切換手段
【図１】
2006310258.tif 000003
【図２】
2006310258.tif 000004
【図３】
2006310258.tif 000005
【図４】
2006310258.tif 000006
【図５】
2006310258.tif 000007